(57)【特許請求の範囲】
【請求項１】
釣竿の外周面に固着され、釣糸をリール側から穂先側へ導く釣糸ガイドであって、一本の針金状部材を円を描く様に螺旋状に曲げ、一周半から二周に至る手前で切断して一周部と二周部を有するリング状の部材を形成し、該リング状部材を構成している針金状部材の両端部のそれぞれをさらに曲げ加工を施し、該リング状部材の外周面に回し乗せ、更にリング状部材の外周側の巻き方向に沿わせたことを特徴とする釣糸ガイド。
【請求項２】
ターン部が重ならない前記リング状部材の一周部に、釣竿の外周部に固着するための脚部を有することを特徴とする請求項１に記載の釣糸ガイド。
【請求項３】
前記リング状部材の二周部を構成している前側ターン部と後側ターン部との間に釣糸が通過できる隙間を形成したことを特徴とする請求項１又は２に記載の釣糸ガイド。
【請求項４】
釣竿の外周面に固着され、釣糸をリール側から穂先側へ導く釣糸ガイドであって、線状部材を螺旋状に曲げてターン数が約２のリング状部材を形成し、該リング状部材の前側ターン部と後側ターン部との間に釣糸を通過させるための隙間を形成し、前記線状部材の両端部をリング状部材の頂上部に位置させ、前記両端部を線状部材の巻き方向に僅かに離間させて前記両端部間に釣糸導入部を形成し、前記リング状部材の前側ターン部の端部から第１突起を前方に突出し、前記リング状部材の後側ターン部の端部から第２突起を前方に突出すると共に該第２突起を前記前側ターン部の外周側に位置させ、前記第１突起と前記第２突起との間に隙間を形成し、該隙間を前記釣糸導入部と連通させたことを特徴とする釣糸ガイド。
【請求項５】
前記釣竿の穂先に嵌め込むための嵌着筒を設けたことを特徴とする請求項４に記載の釣糸ガイド。
【請求項６】
前記前側ターン部と前記後側ターン部との間の前記隙間から前記釣糸が抜けるのを防止するための係止用突起を、前記前側ターン部及び／又は前記後側ターン部から突出したことを特徴とする請求項３から５のいずれかに記載の釣糸ガイド。
【請求項７】
前記リング状部材を構成する線状部材のうち前記釣糸が摺動する部位に、前記釣糸との摺動摩擦を減じさせる素材からなる摩擦低減部材を配設したことを特徴とする請求項１から６のいずれかに記載の釣糸ガイド。
【発明の詳細な説明】
【技術分野】
【０００１】
本発明は、釣竿の外周面に固着され、釣糸をリール側から穂先側へと導く釣糸ガイドに関するものである。
【背景技術】
【０００２】
一般に釣竿の外周面には、釣竿をリール側から穂先側へと導くための数個の釣糸ガイドが設けられている。該釣糸ガイドには釣糸を挿通するためのリング部と釣竿の外周面に固着するための脚部とを備え、該脚部の先端を釣竿の外周面に、巻糸等によって固定されるようになっている。
【０００３】
また、通常の前記リング部は切れ目のないものがほとんどであるので、釣糸はリング部の挿通孔から挿入されるが、リング部の一部に切れ目を入れた釣糸ガイド（例えば、特許文献１参照）や、一本の針金状部材を螺旋状に曲げただけの釣糸ガイド（例えば、特許文献２参照。）も提案されている。
【０００４】
そして、釣り準備作業時においては、釣竿の外周面に固着されている数個の釣糸ガイドに釣糸をリール側から穂先側に向けて挿通する。
【０００５】
切れ目のないリング部を有する釣糸ガイドでは、リール側の釣糸ガイドから穂先側の釣糸ガイドに向けて釣糸を順番に一つずつ挿通していくが、この作業は面倒であり、また、数個の釣糸ガイドのうち一つでも釣糸の挿通し忘れがあった場合には、釣糸の挿通作業を最初からやり直さなければならないという問題があった。
【０００６】
また、リング部の一部に切れ目の入った釣糸ガイドでは、釣糸の挿通し忘れが生じた場合、該一部の切れ目から釣糸を挿入でき、最初からやり直す必要がないという利点がある。
【０００７】
しかしながら、釣糸ガイドのリング部に挿通された釣糸は、魚釣り行為中、スパイラル状になって該リング部内周面を激しく回転しながらリング部を通過するので、釣糸に遠心力が働いて該釣糸がリング部の内周面に沿って移動し、釣糸ガイドの切れ目や螺旋状の針金状部材を伝って釣糸ガイドから外れてしまうという問題があった。
【特許文献１】特開平７−１６０３９号公報
【特許文献２】実公昭４８−３３７５３号公報
【発明の開示】
【発明が解決しようとする課題】
【０００８】
本発明は、釣糸を釣糸ガイドに容易に挿入及び取り出しができ、しかも魚釣り行為中に自然に釣糸ガイドから釣糸が外に飛び出さない釣糸ガイドを提供する。
【課題を解決するための手段】
【０００９】
上記課題を解決するために、本発明の釣糸ガイドは、釣竿の外周面に固着され、釣糸をリール側から穂先側へ導く釣糸ガイドであって、一本の針金状部材を円を描く様に螺旋状に曲げ、一周半から二周に至る手前で切断して一周部と二周部を有するリング状の部材を形成し、該リング状部材を構成している針金状部材の両端部のそれぞれをさらに曲げ加工を施し、該リング状部材の外周面に回し乗せ、更にリング状部材の外周側の巻き方向に沿わせたことを特徴とする。
【００１０】
すなわち、釣竿の外周面に固着され、釣糸をリール側から穂先側へ導く釣糸ガイドであって、線状部材を螺旋状に曲げてターン部数が約１．５から２未満のリング状部材を形成し、前記線状部材の両端部を前記リング状部材の左右両側に位置させると共に前記リング状部材の外周面に曲げて該外周面に沿わせたことを特徴とする。
【００１１】
また、前記リング状部材の二周部を構成している前側ターン部と後側ターン部との間に釣糸が通過できる隙間を形成するのが望ましい。
【００１２】
また、ターン部が重ならない前記リング状部材の一周部に、釣竿の外周部に固着するための脚部を有するのが望ましい。
【００１３】
本発明の釣糸ガイドは、釣竿の外周面に固着され、釣糸をリール側から穂先側へ導く釣糸ガイドであって、線状部材を螺旋状に曲げてターン数が約２のリング状部材を形成し、該リング状部材の前側ターン部と後側ターン部との間に釣糸を通過させるための隙間を形成し、前記線状部材の両端部をリング状部材の頂上部に位置させ、前記両端部を線状部材の巻き方向に僅かに離間させて前記両端部間に釣糸導入部を形成し、前記リング状部材の前側ターン部の端部から第１突起を前方に突出し、前記リング状部材の後側ターン部の端部から第２突起を前方に突出すると共に該第２突起を前記前側ターン部の外周側に位置させ、前記第１突起と前記第２突起との間に隙間を形成し、該隙間を前記釣糸導入部と連通させたことを特徴とする。
【００１５】
また、前記釣竿の穂先に嵌め込むための嵌着筒を設けるのが望ましい。
【００１６】
また、前記前側ターン部と前記後側ターン部との間の前記隙間から前記釣糸が抜けるのを防止するための係止用突起を、前記前側ターン部及び／又は前記後側ターン部から突出させるのが望ましい。
【００１７】
また、前記リング状部材を構成する線状部材のうち前記釣糸が摺動する部位に、前記釣糸との摺動摩擦を減じさせる素材からなる摩擦低減部材を配設するのが望ましい。
【発明の効果】
【００１８】
本発明の釣糸ガイドによれば、一本の線状部材を円を描く様に螺旋状に曲げ一周半から二周に至る手前で切断し、一周部と二周部を有するリング状の部材を形成し、該リング状部材を構成している針金状部材の両端部のそれぞれをさらに曲げ加工を施し、該リング状部材の外周面に回し乗せたので、針金状部材の端部とターン部との隙間がリング状部材の内周面の反対側に位置することになり、したがって、魚釣り行為中に、上述のように釣糸がリング状部材の内周面に沿って移動しても、釣糸が前記隙間に侵入し難くなる。すなわち、該釣糸が針金状部材の両端部がリング状部材の内周面に接していれば、その箇所から釣糸が簡単に外へ出てしまうが、上述のように線状部材の両端部が内周面から外周面へ回し乗せてあるので、魚釣り行為中に不用意に釣糸が外に出るのが防止される。
【００１９】
一方、釣竿外周面に固着されている数個の釣糸ガイドのうち一つでも挿通し忘れが生じた場合でも、その箇所だけを簡単に挿通できる。また、魚釣り行為が終了した後、釣糸と仕掛けを切り離さなくても容易に釣糸ガイドから釣糸を取り外すことができるので、竿を簡単にしまえる。
【００２０】
また、前記リング状部材の二周部を構成する前側ターン部と後側ターン部との間には釣糸が通過できる隙間を形成すれば、釣糸が該隙間を通過してリング状部材内に容易に挿通、及び取り外しができる。
【００２１】
本発明の釣糸ガイドは、線状部材を螺旋状に曲げてターン数が約２のリング状部材を形成し、該リング状部材の前側ターン部と後側ターン部との間に釣糸を通過させるための隙間を形成し、前記線状部材の両端部をリング状部材の頂上部に位置させ、前記両端部を線状部材の巻き方向に僅かに離間させて前記両端部間に釣糸導入部を形成したので、該釣糸導入部から前側ターン部と後側ターン部との間の隙間を通ってリング状部材の挿通孔内に釣糸を挿入することができ、該釣糸ガイドに釣糸挿通し忘れが生じた場合でも、後から挿入することができる。一方、魚釣り作業に伴い、釣糸の動きが複雑で激しい釣竿の穂先部分に該釣糸ガイドを設けても、前記両端部を線状部材の巻き方向に僅かに離間させて前記両端部間に釣糸導入部を形成したので、釣糸が釣糸導入部から不用意に抜けるのを防止することができる。
【００２２】
また、前記リング状部材の前側ターン部の端部から第１突起を前方に突出し、前記リング状部材の後側ターン部の端部から第２突起を前方に突出すると共に該第２突起を前記前側ターン部の外周側に位置させ、前記第１突起と前記第２突起との間に隙間を形成し、該隙間を前記釣糸導入部と連通させれば、該隙間を通じて釣糸をリング状部材の挿通孔に挿入できる一方、前記第１突起と前記第２突起の存在により釣糸が不用意に前記隙間に侵入するのを阻止できる。
【発明を実施するための最良の形態】
【００２３】
以下、本発明の実施形態に係る釣糸ガイドについて図面を参照しながら説明する。
【００２４】
実施形態１
図１（ａ）（ｂ）及び図２（ａ）（ｂ）（ｃ）のように釣糸ガイド１は、一本の針金状部材４を円を描くように前側から後側に向けて螺旋状に曲げて一周半から二周に至る手前で切断し、一周部と二周部を有するリング状部材Ｃを備えている。すなわち、リング状部材Ｃは、ターン数が１．５から２未満であり、本実施態様では約１．５に設定されることによって円状の前側ターン部３とほぼ半円状の後側ターン部３’とを備え、リング状部材Ｃの二周部Ｂでは前側ターン部３と後側ターン部３’とが重なり、リング状部材Ｃの一周部Ａでは後側ターン部３’は存在しない。
【００２５】
リング状部材Ｃを構成している針金状部材４の両端部７，７’のそれぞれは、切断されたままの状態では、上述のように魚釣り作業中に動く釣糸８が針金状部材４の端部７又は７’ですくい取られて該針金状部材４に沿って移動することによりリング状部材Ｃから不用意に抜けてしまう。そこで、本実施態様では、その防止策として針金状部材４の両端部７，７’をさらに曲げ加工を施してリング状部材Ｃの内周面１１に接している該両端部７，７’をリング状部材Ｃの外周面１２へ回し乗せている。すなわち、針金状部材４の両端部７，７’のそれぞれをリング状部材Ｃの外周面に曲げて該外周面に沿わせている。
【００２６】
また、図２（ｂ）のようにリング状部材Ｃの二周部の前側ターン部３と後側ターン部３’との間には釣糸８が通過できる僅かな隙間６が形成され、リング状部材Ｃの外周面と針金状部材４の両端部７，７’との間にも釣糸８が通過できる僅かな隙間７1，７1’が形成されている。
【００２７】
前側ターン部３と後側ターン部３’とが重ならないリング状部材Ｃの一周部には釣竿９の外周部に固着するための脚部５が設けられ、該脚部５は釣竿９の外周面に例えば合成樹脂と巻糸１０によって固着されている。
【００２８】
図３（ａ）（ｂ）（ｃ）においては、リング状部材Ｃの内周面に接している針金状部材４の両端部７，７’を釣糸ガイド１のリング状部材Ｃの外周面に回し乗せる方法の一例を示したものである。魚釣り作業中に動く釣糸８が針金状部材４の端部７又は７’ですくい取られないように針金状部材４の両端部７，７’をリング状部材Ｃの外周面に位置させる方法や構造としては、種々のものが考えられ、例えば針金状部材４の両端部７，７’に図外の別部材を取り付けて該別部材をリング状部材Ｃの外周面に回し乗せるようにしても良い。
【００２９】
図４（ａ）（ｂ）（ｃ）において、本発明の釣糸ガイド１のリング部Ｃに釣糸８を挿通する状況を示している。
【００３０】
釣糸８は、通常、リング状部材Ｃの挿通孔２から挿入されるものであるが、上述のように挿通し忘れた場合には、図４（ａ）のように釣糸ガイド１の前側ターン部３と後側ターン部３’の間に設けられた隙間６から釣糸８を挿入し、釣糸８を下方へ下げて行き（釣糸ガイド１が釣竿９の下側に位置する場合には、上方に上げて行く）、釣糸ガイド１の外周面に回し乗せた両端部７，７’を通過すればリング状部材Ｃへの釣糸８の挿通が完了する。また、取り外す時はかかる操作とは逆の操作を行う。
【００３１】
実施形態２
図５乃至図７に示す本実施形態の釣糸ガイド１Ａは、釣竿９の穂先に取り付けられるものである。
【００３２】
釣糸ガイド１Ａは、針金状部材４を螺旋状に曲げてターン数が約２のリング状部材Ｃを備えている。該リング状部材Ｃの前側ターン部３Ａと後側ターン部３Ａ’との間には釣糸８を通過させるための隙間６Ａが形成されている。
【００３３】
針金状部材４の両端部７，７’はリング状部材Ｃの頂上部に位置し、また、針金状部材４の両端部７，７’は針金状部材４の巻き方向に僅かに離間し、該両端部７，７’間には釣糸導入部７０が形成されている。
【００３４】
リング状部材Ｃの前側ターン部３Ａの端部７，７’は前方に曲げられて第１突起７Ａが形成され、後側ターン部３Ａ’の端部７’を前方に曲げられて第２突起７Ａ’が形成され、該第２突起７Ａ’は前側ターン部３Ａの外周面に位置している。また、第１突起７Ａと第２突起７Ａ’との間には隙間６０Ａが形成され、該隙間６０Ａは釣糸導入部７０と連通している。
【００３５】
図７のように前側ターン部からは係止用突起１３が斜め下方に向けて突出され、該係止用突起１３は前側ターン部３Ａと後側ターン部３Ａ’との間の隙間６Ａを塞ぐことによって釣糸８が隙間６Ａから抜けるのを防止する。
【００３６】
リング状部材Ｃには嵌着筒１３が固定され、該嵌着筒１３に釣竿９の穂先を嵌着することによって該釣糸ガイド１Ａが釣竿９の穂先に取り付けられる。１４は嵌着筒１３とリング状部材Ｃとを連結する連結材である。
【００３７】
以上のように構成される釣糸ガイド１Ａのリング状部材Ｃへの釣糸８の挿通は、通常、リング状部材Ｃの挿通孔２Ａから行われるが、挿通し忘れた場合には、図８（ａ）の矢印ａのように釣糸ガイド１Ａの突起７Ａ，７Ａ’間の隙間６０Ａから釣糸導入部７０を通って前側ターン部３Ａと後側ターン部３Ａ’の間の隙間６Ａに釣糸８が挿入される。次に同図（ａ）（ｂ）の矢印ｂ，ｃのように釣糸８を隙間６Ａに沿って約一周移動させた後、同図（ｂ）の矢印ｄの方向に釣糸８を振ったのち、同図（ｃ）の矢印ｅのように釣糸８を釣糸導入部７０及び隙間６０Ａに通過させることによりリング状部材Ｃへの釣糸８の挿通が完了する。また、釣糸８をリング状部材Ｃの挿通孔２Ａから抜く場合には、以上の操作と逆の操作をする。なお、釣糸８を隙間６Ａに沿って移動させるときには、該釣糸８は針金状部材４を僅かに弾性変形させながら係止用突起１３を乗り越える。
【００３８】
このように構成される釣糸ガイド１Ａは、第１及び第２の突起７Ａ，７Ａ’によって前側ターン部３Ａと後側ターン部３Ａ’との隙間６Ａから釣糸８が不用意に抜けるのを防止できる。仮に、釣糸８が該隙間６Ａに侵入しても、係止用突起によって該隙間６Ａに沿った釣糸８の移動を阻止することができて釣糸８が釣糸ガイド１Ａから抜け出るのを防止できる。
【００３９】
図９も、図８で示した挿通動作と同じ要領で挿通する動作を示したものであるが、釣糸ガイド１Ａのリング状部材Ｃに対する釣糸８の挿入角度等は図８で示した挿通操作と異なっている。
【００４０】
また、実施形態１及び２の釣糸ガイド１，１Ａにおいてリング状部材Ｃを構成する針金状部材４のうち釣糸が摺動する内周面等の部位に、釣糸８との摺動摩擦を減じさせるセラミックやテフロン（登録商標）やフッ素樹脂等の素材からなる図外の摩擦低減部材を配設しても良い。なお、針金状部材４は金属製の線状部材の一例である。
【図面の簡単な説明】
【００４１】
【図１】（ａ）は本発明の釣糸ガイドに係る実施形態１を釣竿に固定した状態を示す斜視図、（ｂ）は同実施形態１の斜視図である。
【図２】（ａ）は同実施形態１の正面図、（ｂ）は同実施形態１の平面図、（ｃ）は同実施形態１の側面図である。
【図３】（ａ）（ｂ）（ｃ）は同実施形態１の構成する針金状部材の両端部の曲げ加工の方法の一つを示す斜視図である。
【図４】（ａ）（ｂ）（ｃ）は同実施形態１のリング状部材に釣竿を通す手順を示す斜視図である。
【図５】本発明の釣糸ガイドに係る実施形態２を斜視図である。
【図６】同実施形態２の平面図である。
【図７】同実施形態２の正面図である。
【図８】（ａ）（ｂ）（ｃ）は同実施形態２のリング状部材に釣竿を通す手順を示す斜視図である。
【図９】（ａ）（ｂ）（ｃ）は同実施形態２のリング状部材に釣竿を通す手順を示す斜視図である。
【符号の説明】
【００４２】
１，１Ａ      釣糸ガイド
２，２Ａ      挿通孔
３，３Ａ      前側ターン部
３’，３Ａ’    後側ターン部
４            針金状部材
５            脚
６，６Ａ      隙間
７，７’      端部
８            釣糸
９            釣竿
１０          巻糸
１１          内周面
１２          外周面
Ａ            一周部
Ｂ            二周部
Ｃ            リング状部材
【要約】
【課題】  釣糸を釣糸ガイドに容易に挿入及び取り出しができ、しかも魚釣り行為中に自然に釣糸ガイドから釣糸が外に飛び出さない釣糸ガイドを提供する。
【解決手段】  釣竿の外周面に固着され、釣糸をリール側から穂先側へ導く釣糸ガイドであって、一本の針金状部材を円を描く様に螺旋状に曲げ、一周半から二周に至る手前で切断して一周部と二周部を有するリング状の部材を形成し、該リング状部材を構成している針金状部材の両端部のそれぞれをさらに曲げ加工を施し、該リング状部材の外周面に回し乗せたことを特徴とする。
【選択図】    図１
【図１】
0003593683.tif 000002
【図２】
0003593683.tif 000003
【図３】
0003593683.tif 000004
【図４】
0003593683.tif 000005
【図５】
0003593683.tif 000006
【図６】
0003593683.tif 000007
【図７】
0003593683.tif 000008
【図８】
0003593683.tif 000009
【図９】
0003593683.tif 000010